(57)【要約】      （修正有）【課題】足腰が不自由でトイレに行くことができない寝たきりの患者が、介護者の力を借りることなく、自分の力で用便を行うことのできる高架式ベッド尻部腰掛け自動開閉扉伸縮装置を提供する。【解決手段】敷布団、水平に開閉する開閉扉が設けられた高架式ベッド、及び前記開閉扉と床との間に備えられた腰掛け便器、をセットとした高架式ベッド尻部腰掛け自動開閉扉伸縮装置であり、前記開閉扉の大きさを前記腰掛け便器よりやや大きめとして、前記開閉扉の位置を前記高架式ベッドに人間が仰向けに寝た際の尻部の位置とする。前記開閉扉の開閉スイッチを操作することにより、開閉扉を腰掛け便座よりやや大きめとなるように開き、真下に設置された腰掛け便器に腰をかけて用便を行い、用便後に、再度開閉扉スイッチを操作して開閉扉を閉じる。【選択図】図１
2014147655.tif 000002
【特許請求の範囲】
敷き布団と高架式ベッドをセットとし、敷布団横幅の中心線に人間が仰向けに寝て尻部に位置する個所を腰掛便器位または、やや大きめの穴があくような開閉装置を設置する。ベッドは寝起きの角度が調整出来るのが都合が良い。穴があく開閉装置の下部には便器がセットされている。便器はどのような構造でも差し支えはないが、後処理や臭気並びに衛生面等を考慮すれば、水洗式のセットが望ましい。次に用をたす時は「スイッチ開を操作」すれば正逆モーターが正回転し駆動装置に伝道し尻部の開閉装置の蓋は開いた状態でリミットスイッチの働きにより電源は自動的に停止する。次に穴が開いている便器に用をたし水洗式のトイレの場合は、温水洗浄をスイッチ操作すれば、温水で洗浄されるので極めて清潔になる。次に「スイッチ閉の操作」をすればトイレ蓋である開閉装置は、正逆モーターが逆回転して駆動装置に伝道し開閉構造の蓋は確実に閉まり、リミットスイッチに働きにより電源は停止する。敷布団の高さは元の高さなので寝ていても敷布団の違和感はまったくない。以上のような構造原理を特徴とした「敷布団自動ベッド尻部開閉装置」を本日ここに提供するものである。
【発明の詳細な説明】
【技術分野】
【０００１】  本願は、怪我、病気、老人等で足腰が不自由な患者で、便所に行くことができず、ベッドに寝たきりで用便を足すことを特徴とした発明であり以下にわたって説明する。
障害のために歩行ができなく寝たきりの患者が、自分の力で開閉スイッチを操作することにより、正逆回転モ−タ−が作動してベッドで寝ている、尻部が位置するベッドが開閉して下部に便器がセットされており、寝ながらでも一人で用便を足すことができる構造原理である、用を足すときは「開のスイッチをＯＮ」操作することにより正逆モ−タ−が正回転して尻があたっている部分が開放しリミットスイッチの働きによる蓋は開いて電源は自動的に停止する。ベッドの尻部に位置する個所は自動的に開くので寝たきりでも用便を足すには極めて都合が良い。次に用を足し終えたら、「スイッチ閉をＯＮ」に操作すれば自動的に蓋は閉まりリミットスイッチの働きにより電源は自動的に停止する。ベッドは足が４本ある高架式のベッド装置とし、尻部の開閉装置に支障のならない構造とする。ベッドの尻部が開閉する下部にセットする便器はどのようなものを用いても差し支えはないが、後処理や臭気並びに衛生面などから考慮すれば、水洗式のウオッシュレットで尻部を温水で洗浄出来るタイプの方が患者に優しく衛生的である。以上のような構造原理のした「敷布団自動ベッド尻部開閉装置」をここに提供する。
【背景技術】
【０００２】  該当なし
【先行技術文献】
【０００３】  該当なし
【発明の概要】
【０００４】  高架式ベット中央の尻部の部分が開閉する構造とし、「開のスイッチをＯＮ」すれば、尻の部分が正逆モーターの働きにより、自動的開き、尻部の部分が開き終わったらリミットスイッチの働きにより自動的に電源は停止する。開いて穴のあいた下部には便器がセットされている。  便器はどのようなものを用いても差し支えはないが、ウオッシュレット構造の便器を用いれば、用をたしたあとに温水などで洗浄できるので極めて衛生的で都合が良い。用をたして穴の開いている個所を閉じるには「閉のスッチをＯＮ」にすれば正逆モーターが逆回転して、尻部の個所は自動的に閉まり、リミットスイッチの働きにより蓋が閉め終わったら電源は自動的に停止する構造原理の「敷布団自動ベッド尻部開閉装置」
【問題を解決するための手段】
【０００５】足が不自由で歩行ができず、寝たきりの患者が、介護の人の力を借りることなく、自分の力で用便を行うことのできる健康的で衛生的な機器の開発。
【発明の効果】
【０００６】前述「技術分野」「発明の概要」に記載されている通りの構造原理であり、ベットの尻部の部分が自動的に開閉する下部に便器がセットされており、他人の手を煩わすことなく自分一人で衛生的に用をたすことができる。
【図面の簡単な説明】
【０００７】
【図１】は、本発明の敷布団自動ベッド尻部開閉装置の「スイッチ開をＯＮ」にし正逆モーターが正回転して尻部が開いて用をたすことができる状態を示した側面図。
【図２】は、患者が用便をたし、本発明の敷布団自動ベッド尻部開閉装置の「スイッチ閉をＯＮ」にし、正逆モーターが逆回転して尻部の位置が閉じた状態を示した側面図。
【図３】は、高架式ベットの上に、本発明の敷布団自動ベッド尻部開閉装置を設置したことを示す正面図。
【図４】は、高価式ベットに敷布団自動ベット開閉装置が稼働して尻部の部分が開き、穴があいた状態を示す平面図。
【図５】は、高架式のベッドに、敷布団自動ベッド開閉装置が設置されていることを示す平面図。
【符号の説明】
【０００８】（Ｉ）は正逆両用モーター、（２）は駆動伝達装置（ベルト、チェーン、ワイヤー、紐、等々）、（３）は正回転（開く）リミットスイッチ、（４）は逆回転（閉じる）リミットスッチ、（５）は、高架式ベット、（６）は敷布団、（７）は水洗式便器、（８）は開閉駆動装置保護容器、（９）は敷布団開尻部開閉部、（１０）は高架ベット尻部開閉部、（１１）は用便を足すときの穴、（１２）は浄化槽への排水配管
【図１】
2014147655.tif 000003
【図２】
2014147655.tif 000004
【図３】
2014147655.tif 000005
【図４】
2014147655.tif 000006
【図５】
2014147655.tif 000007
【手続補正書】
【提出日】平成25年2月26日(2013.2.26)
【手続補正１】
【補正対象書類名】明細書
【補正対象項目名】全文
【補正方法】変更
【補正の内容】
【発明の詳細な説明】
【技術分野】
【０００１】本願は、怪我、病気、老人等で足腰が不自由で便所に行くことが困難で寝たきりでも、尻部を開閉して落下式で用便を足すことができることを特徴とした発明であり以下にわたって説明する。尻部の開閉装置は腰掛便器よりやや大きめの穴があく開閉装置とする。障害の為に歩行ができなく寝たきりの患者が、枕元にある開閉スイッチを操作することにより、正逆回転モーターが作動してベッドで寝ている尻部の下部には便器がセットされており、落下方式で用便を処理できる構造のした便器であればどのような便器でも差し支えはないが、後処理や臭気並びに衛生面などを考慮すれば水洗式のウオッシュレットのほうが望ましい。用をたすときは「開のスイッチをＯＮ」にすれば正逆モーターが正回転して尻が接触している蓋は自動的に開放し、蓋は開き終わったらリミットスイッチの働きにより自動的に電源は停止する。従ってベッドの尻部に位置する蓋は自動的に開くので、寝たきりでも落下方式で用便を足ことができる構造原理で違和感がなく極めて感触が良い。次に用をたし終え、ウオッシュレットの便器の場合は、尻部を温水で洗浄し温風乾燥燥し終えたら、「スイッチ閉をＯＮ」に操作すれば自動的に蓋は閉じ、完全に蓋が閉じた時点にてリミットスイッチの作動により電源は自動的に停止する。ベッドの下部に位置しているウオッシュレットの尻部が接触する個所より低いと敷布団やベッドを汚す率が高いので便器と敷布団やベットの高さが同一あるいは便器が敷布団より少し高めに位置すると汚れる率が少ないのでベッドの脚を上記の位置になるようにセットできるように伸縮できる構造とし、スイッチ操作は蓋の開閉スイッチと連動でも別回路のスイッチでも良い。以上のような構造原理のした本願は、寝たきりの患者でも介護する人の手を煩わすことなく、寝たきりの患者一人で枕元にあるスイッチ操作により尻部の蓋が自動的に開閉し、尻部の下部にセットされている便器に用便を落下させて処理することを最大の特徴とした「敷布団自動ベッド開閉伸縮装置」を本日ここに発表するものである。
【背景技術】
【０００２】該当なし
【先行技術文献】
【０００３】該当なし
【発明の概要】
高架式ベッド中央の尻部の部分が開閉する構造とし、腰掛便器よりやや大きめの穴が開く程度の開閉装置とし、用をたすときは「開のスイッチをＯＮ」にすれば尻部分が正逆両用モーターが正回転して駆動伝達装置を経て、尻部に接触している蓋は自動的に開き、尻部の部分が開き終わるとリミットスイッチが作動して自動的に電源は停止する。開いて穴のあいた下部には便器がセットされている。本発明の構造は落下方式で用便を処理する原理であるから、落下方式で処理できる便器であればどのような便器でも良いが、後処理や臭気並びに衛生面などを考慮すれば、水洗式のウオッシュレットを用いれば温水などで洗浄し温風乾燥してから「閉のスイッチをＯＮ」に操作すれば正逆モーターは逆回転に駆動伝達装置を経て尻部の蓋は自動的に閉じ、リミットスイッチが作動して電源は自動的に停止する。ベッドの下部にセットされている便器がウオッシュレットの場合等はベッドと敷布団の厚さと、便器の尻部の高さが同一あるいは便器の方が少し高めの方が布団を汚す率が少ないので、ベッドの脚が上記の高さにセットできるように上下する伸縮構造とし、操作スイッチは連動式でも別回路スイッチでもよい。以上のような構造原理のした本願は寝たきりでも介護の人の手を煩わすことなく、患者一人で枕元にあるスイッチ操作により尻部の蓋が自動的に開閉して尻部の下部に位置する便器に用便を落下させて処理することを最大の特徴とした「敷布団自動ベッド開閉伸縮装置」を本日ここに提供するものである。
【問題を解決するための手段】
足腰が不自由で寝たきりの患者が介護の人の力を借りることなく、人間の本能である落下式で用便を足し爽快な気分になることを特徴とした健康的で衛生的なことを特徴とした一人で用便を足すことのできる尻部開閉伸縮装置の開発。
【発明の効果】
前述の「技術分野」並びに「発明の概要」に記載されている通りの構造原理であり、歩行が困難で寝たきりの患者が、ベッドの枕元に設置するスイッチを一人で操作することによりベッドの尻部の個所を正逆両用モーターが稼働して駆動伝道装置の働きで自動的に尻部が開閉することによりベッドの下部に設置されている便器に用便を落下させて用を足し、介護の人の手を借りることなく寝たきりの患者が一人で操作することを特徴とした、清潔で衛生的な「敷布団自動ベッド尻部開閉伸縮装置」である。
【図面の簡単な説明】
【図１】は尻部開閉部の構造で使用前の状態を示し、蓋が閉じていることを示す平面図。
【図２】は尻部開閉部の構造で使用状態を示し、蓋が開いていることを示す平面図。
【図３】は尻部開閉部の構造で使用後の状態を示し、蓋が閉じた状態を示す平面図。
【図４】は尻部開閉装置をベッドにセットしたことを示す使用前の平面図。
【図５】は尻、部開閉装置をベッドにセットし蓋が開いて使用している事を示す平面図。
【図６】は尻部開閉装置をベッドにセットし用便を足して蓋が閉じた状態を示す平面図。
【図７】は正逆モーター、駆動伝達装置、下部にウオッシュレットを設置し患者が寝たきり状態で尻部開閉装置が閉じているベッド状態を示す構造側面図。
【図８】は寝たきりの患者がスイッチ操作により正逆モーターが正回転して駆動伝達装置を経て蓋が両サイドに開き、ベッドと敷布団の厚さの分が下降してウオッシュレットと同一の高さになり、患者が安心して用をたすことが出来る状態示す構造側面図。
【図９】は寝たきりの患者が用を足し、スイッチ操作により正逆モーターが逆回転して駆動伝達装置を経て蓋が自動的に閉じ、ベッドが敷布団の厚さの分が上昇して以前の状態に戻るので患者が寝たきりであっても違和感を感じることは全くない。
【図１０】は正逆両用モーターを稼動させる電気配線図。
【符号の説明】（１）は正逆両用減速ギヤモーター、（２）は駆動伝達装置、（３）は正回転（開く）リミットスイッチ、（４）は逆回転（閉じる）リミットスイッチ、（５）は高架式ベッド、（６）は敷布団、（７）は枕、（８）は高架式ベッド脚伸縮装置、（９）は駆動伝達装置保護ケース、（１０）は敷布団尻部開閉部、（１１）は高架式ベッド尻部開閉部、（１２）はウオッシュレット、（１３）は汚物排水管、（１４）はブレイカー、（１５）は小型電気接触器、（１６）はコンデンサー、（１７）は開閉伸縮スイッチ、（１８）高架式ベッド角度調整個所、
【手続補正２】
【補正対象書類名】特許請求の範囲
【補正対象項目名】全文
【補正方法】変更
【補正の内容】
【特許請求の範囲】
【請求項１】
敷布団と高架式ベットをセットとして、敷布団横幅の中心線に人間が仰向けに寝て尻部に位置する個所を腰掛便器より、やや大きめの穴があくような開閉装置を設置する。ベッドは寝起きの角度が調整できる構造が望ましい。尻部の開閉装置は下部の便器に用便を落下させる構造原理であり、落下した用便を受け入れる便器であればどのような構造でも良いが、後処理や臭気並びに患者の衛生面などを考慮すれば、水洗式のウオッシュレットが望ましい。次に用を足すときは、枕元にある尻部開閉装置の「スイッチ開をＯＮ」にすれば正逆両用モーターが正回転し、駆動伝達装置を経て尻部開閉装置の蓋は速やかに開く、蓋が開き終わった時点でリミットスイッチが作動するので蓋は開いたままの状態で電源は停止する。次に蓋のあいた下部に設置されている便器に用便を落下させて用をたし、水洗式のウオッシュレットを用いた場合は温水洗浄スイッチを「ＯＮ」にすれば温水で洗浄した後に温風乾燥されるので極めて清潔に処理することが出来る。次に尻部開閉装置の蓋を閉じる時は「スイッチ閉をＯＮ」にすれば、正逆両用モーターは逆回転して駆動伝達装置を経て蓋は確実に閉じる。蓋が閉じ終わった時点でリミットスイッチが作動して電源は自動的に停止する。ベッドの下部に設置されているウオッシュレットの便器の尻部が接触する部分と、ベッドと敷布団の厚さの分が同一のあるいは便器が少し高めの方が布団を汚す率が少ないのでベッドの脚が伸縮構造としスイッチは連動式でも別回路でも良い。以上のような構造原理のした本願は寝たきりの患者でも介護をする人の手を煩わすことなく、患者本人が一人で枕元にあるスイッチ操作により蓋が自動的に開閉し、尻部の下部の便器に用便を落下させて処理することのできることを最大特徴とした「敷布団自動ベッド開閉伸縮装置」を本日ここに提供するものである。
【手続補正３】
【補正対象書類名】図面
【補正対象項目名】全図
【補正方法】変更
【補正の内容】
【図１】
2014147655.tif 000008
【図２】
2014147655.tif 000009
【図３】
2014147655.tif 000010
【図４】
2014147655.tif 000011
【図５】
2014147655.tif 000012
【図６】
2014147655.tif 000013
【図７】
2014147655.tif 000014
【図８】
2014147655.tif 000015
【図９】
2014147655.tif 000016
【図１０】
2014147655.tif 000017
【手続補正書】
【提出日】平成25年5月24日(2013.5.24)
【手続補正１】
【補正対象書類名】明細書
【補正対象項目名】全文
【補正方法】変更
【補正の内容】
【発明の詳細な説明】
【技術分野】
【０００１】本願は、怪我、病気、老人等で足腰が不自由な患者で便所に行くことができず、ベッドで寝たきりでも、患者が枕元のスイッチ「開をＯＮ」にすればベッドの尻部の蓋が自動的に開く同時にベッドの下部に設置されている腰掛トイレが横に開閉すると蓋と連動して敷布団に水平あるいはわずかに上昇しリミットスイッチの働きにより電源は停止する、次に上昇したトイレに人間本来の本能である落下式で用を足し、用が終わったら枕元トスイッチの「閉をＯＮ」にすれば横に開いた開閉装置が閉じると同時に上昇している腰掛トイレも連動して下降して収納されリミットスイッチの作動により電源は自動的に停止する尻部を開閉式で落下式で用便足すことが出来ることを特徴とした発明であり以下にわたって説明する。尻部の開閉装置は腰掛便器よりやや大きめの穴が開く開閉装置とし、障害の為に歩行ができなく寝たきりの患者が、自分の力で開閉スイッチを操作ことにより、正逆モーターが作動してベッドで寝ている、ベッド尻部の下部に位置している便器は枕元の「開閉スイッチの開をＯＮ」にすれば、正逆モーターは正回転して開閉装置が開くと蓋はベッドの横に伸びる構造になっている、そこでその横に伸びる蓋の裏側の先端付近にワイヤーなどを取り付け、開閉レール下側の両サイドの４箇所にワイヤーが外れない構造の滑車を設置し、ワイヤー等が滑車を経由して（２２）の便器保護容器に取り付ければ、（１７）の開閉スッチの操作により（１）の正逆両用減速モーターを正回転させれば、（２）の駆動伝達装置の働きにより尻部開閉装置の蓋は自動的に開放する。併せて開放する蓋の裏側先端に取り付けてある（１５）ワイヤーは（１４）の滑車を経過して便器を保護している（２２）の便器保護用容器に接続されているので蓋が開けば横に伸びるので便器は自動的に垂直に上昇してベッドの敷布団と水平あるいはやや高めの位置になるので極めて都合が良い。次に寝たきりの患者が一人で用を足しトイレの蓋を閉じるには、枕元にある（１７）の開閉スイッチ「閉をＯＮ」にすれば（１）の正逆両用減速モーターの働きによりモーターが逆回転して（２）の駆動伝達装置に連動して開いていた蓋は自動的に締まる蓋の裏側の先端に取り付けてあるワイヤーは開閉レール裏側にセットされている滑車をそれぞれ経由して（２２）の便器保護容器と接続されているので自動的にベッドの下に収納される極めて都合が良い「敷布団自動ベッド尻部開閉トイレ伸縮装置」を本日発表するものである。
【背景技術】
【０００２】「特許出願文献１」はベッドの尻部に位置する部分が開閉し落下方式の原理が「特許出願文献１」である。
【先行技術文献】
【０００３】特願２０１３−３０４２５
【発明の概要】
【発明が解決しようとする課題】
【０００４】上記、寝たきリで歩行ができない患者が寝たきりでも落下方式で用便を足す構造原理の出願を平成２５年１月３０日に提出し、特願２０１３−３０４５２となっている。その後、本出願人は本願の尻部開閉装置のベッドの制作に取り掛かったのであるが、ベッドの下部に位置する便器が用をたす時点にベッド上の敷布団と同等の高さか、あるいは敷布団より少し高めにセットされる構造にした方が患者の負担が少なく極めて感触が良く且つ敷布団を汚すという欠点が解消されることが理解できた。そこで本出願人の上記欠点を解消するために高架式ベッドの脚が便器の高さに伸縮する方式を手続補正（自発）で提出済みではあるがコストアップは避けられない欠点があった。そこで本発明者は便器自体が開閉装置と連動して上下すれば都合が良いという結論に到達した、ベッドに設置されている便器で用をたすときは、開閉装置の蓋の裏側の先端辺りに（１５）ワイヤー等の端を取り付け（１４）の滑車を経由して（２２）の便器保護容器にワイヤーの端が固定されておれば、腰掛便器の蓋は横に水平に開くのではワイヤーは開閉装置の蓋と連動して便器はベッド上に出現することになり、蓋が閉じれば便器はワイヤーと連動しているのでベッドの下に収納されるということになる。
【問題を解決するための手段】
【０００５】本発明は、高架式ベッド中央の尻部の接触部分が開閉する構造とし、腰掛便器よりやや大きめの穴が開く程度の開閉装置とし、用をたすときは「開のスイッチをＯＮ」にすれば図で示すように、開閉装置の外周下側付近にワイヤー等の端を固定し蓋が開けば（１５）ワイヤーが（１８）便器保護容器上部に設置してある開閉レール下側に設置してある滑車４箇所を経由して（２２）便器保護容器の外側に取り付けてあるので（１７）の開閉スイッチ「開をＯＮ」にすれば（１）正逆両用減速ギヤモーターが正回転し（２）の駆動伝達装置が稼働して尻部の開閉装置の蓋はベッドの横に開く、上記の腰掛便器は開閉する蓋と連動して便器が上昇し終ると（３）のリミットスイッチが作動して蓋が開いた状態で電源は停止する。次に敷布団上の腰掛便器で落下方式で用を足し終えたら（１７）の開閉スイッチの「閉をＯＮ」にすれば、（１）の正逆両用減速ギヤモーターが逆回転して開閉装置に連結されている蓋並びに蓋の裏側の先端付近に設置されているワイヤーが左右開閉レール下側に設置してある滑車４箇所を経由し（１８）の便器保護容器の左右に２箇所ずつ（計４箇所）に接続されている開閉装置の蓋は自動的に閉じて蓋と連動している腰掛便器もベッドの下に自動的に収納され開閉装置の蓋が閉じ終わると（４）のリミットスイッチが作動するので電源は自動的に停止することを特徴とした「敷布団自動ベッド尻部開閉伸縮装置」を本日ここに提供するものである。
【発明の効果】
【０００６】前述のように、高架式ベッドの横幅の中心で人間が仰向けに寝て尻部が接触部分を開閉する構造とし、腰掛便器よりやや大きめの穴があく程度の開閉装置とし、用をたすときは枕元の「開のスイッチをＯＮ」にすれば正逆減速モーターが正回転して尻部開閉装置の蓋が開き、ワイヤーで連動している便器は蓋が開くと同時に自動的に上昇し始め、蓋が開き終わると敷布団上に出現する、蓋が開き終わるとリミットスイッチが作動して電源は停止する。敷布団上に出現した便器に落下方式で用を足す。次に便器を下降させて蓋を閉じるには、枕元の開閉スイッチの「閉のスイッチをＯＮ」にすれば開閉装置と連動している便器は蓋が閉じ始めると、自動的に下降してベッドの下側に収納される、蓋が閉まり終わるとリミットスイッチが作動して正逆減速モーターの電源は停止する。以上のような構造で出来ている。以上のような構造原理で出来ている便器の落下方式で用を足すことを最大の特徴とした「敷布団自動ベッド尻部開閉伸縮装置」を本日ここに提供することにより、歩行ができず寝たきりに患者でも、介護するに人に世話にならなくても寝たきりの患者一人で十分に用を足すことが出来る装置である。
【図面の簡単な説明】
【０００７】
【図１】開閉装置のベッドが閉じベッド下に便器収納されている構造側面図。
【図２】開閉装置のベッドが開きベッド上に便器が出現した状態の構造側面図
【図３】開閉装置のベッドが閉じベッド下に便器が収納されている構造側面図
【図４】開閉装置のベッドが閉じベッド下に便器が収納されていることを構造平面図
【図５】開閉装置のベッドが開ベッド上に便器が出現したことを構造平面図。
【図６】開閉装置のベッドが閉じベッド下に便器が収納されている構造平面図。
【図７】開閉装置のベッドが閉じベッド下に便器が収納さている側面図。
【図８】開閉装置のベッドが開きベッド上に便器が出現したこと示す側面図。
【図９】開閉装置のベッドが閉じベッド下の便器を取り出し交換している側面図。
【図１０】開閉装置のベッドが閉じベッド下に便器が収納されている側面図
【図１１】開閉装置のベッドが開ベッド上に便器が出現したことを示す側面図。
【図１２】開閉装置のベッドが閉じベッド下に便器が収納されていることを示す側面図。
【図１３】開閉装置のベッドガ閉じベッド下に便器が収納されていることを示す平面図。
【図１４】開閉装置のベッドが開きベッド上に便器が出現したことを示す平面図。
【図１５】開閉装置のベッドが閉じベッド下に便器が収納されている平面図。
【符号の説明】（１）は正逆両用減速ギヤモーター、（２）は駆動伝達装置、（３）はリミットスイッチ、（４）リミットスイッチ、（５）高架式ベッド、（６）敷布団、（７）枕、（８）キャスター  （９）駆動伝達装置保護ケース、（１０）バネ又ゴム、（１１）手動持ち運び便器、（１２）水洗式ウオッシュレット、（１３）汚物排水管、（１４）滑車、（１５）ワイヤー、（１６）鎖、（１７）ベッド開閉スイッチ、（１８）ベッド角度調整個所  （１９）手動便器案内足場、（２０）伸縮性ギャバラ、（２１）バネ又はゴムの固定版、（２２）便器防護容器、（２３）便器収納箱、
【手続補正３】
【補正対象書類名】特許請求の範囲
【補正対象項目名】全文
【補正方法】変更
【補正の内容】
【特許請求の範囲】
【請求項１】
敷布団と高架式ベットをセットとし、ベッドの横幅の中心線に人間が仰向けに寝て尻部が位置する個所に腰掛便器よりやや大きめの穴があくような開閉装置を設置するベッドは寝起きの角度が調整できる構造が望ましい。尻部の開閉装置は便器が落下方式で用を足す構造であればどのようなものでも差し支えはないが後処理や衛生面などを考慮すれば水洗式のウオッシュレットが望ましい。ベッドの下部に収納されている便器は便器防護容器にガードされているので便器防護容器と開閉装置の左右の蓋裏側の外周辺りに各々ワイヤーの端を接続して開閉レールの裏側に沿った中間辺りに滑車を経由して腰掛便器をガードしている便器防護容器の外側に開閉装置の蓋の裏側より伸びているワイヤーを各々に接続しておく。次に，用を足すときは枕元にある尻部開閉装置のスイッチ「開をＯＮ」にすれば正逆両用減速ギヤモーターは正回転して、駆動伝達装置を経由し尻部開閉装置の蓋は横に水平に移動伸する。蓋の裏側とベッド下の便器防護容器はワイヤーで滑車を経由し開閉レールに沿って蓋と連結しているので、蓋が横に水平に移動すればワイヤーも連動して移動するのでベッド下に収納されている腰掛便器は便器防護容器は蓋が横に移動すると滑車が回転し垂直に上昇する。腰掛便器は蓋が開き終わると腰掛便器も敷布団上の数センチ上の位置に出現し、リミットスイッチ働きにより電源はそのままの状態で自動的に停止する。次に敷布団上に出現している腰掛便器で用を足し終え水洗式のウオッシュレットを用いた場合は尻部を温水で洗浄し温風乾燥機で乾かしたら、枕元の尻部開閉スイッチの「閉をＯＮ」にすれば正逆両用減速ギヤモーター逆回転し、駆動伝達装置を経由して開閉装置の蓋は閉じるので蓋の裏側に接続されているワイヤーの負荷は解除され無負荷となるので、腰掛便器も蓋が閉まると同時に下降し始め蓋が閉まり終わると腰掛便器は完全にベッドの下に収納されると同時にリミットスイッチが作動して電源は自動的に停止する。腰掛便器を上下する構造は蓋と滑車並びに便器防護容器をワイヤーで連結したほうが製造コストは安価であり故障もないが、ベッドの脚全体をモーター等で上下させる構造でも良いが製造段階でのコスト高は避けられない。以上のような構造原理を最大の特徴とした「敷布団自動ベッド開閉伸縮装置」の開発により、介護する人の手を煩わすことなく、寝たきりの患者一人で、昼夜を問わず衛生的に用を足して処理することのできる機器を、本日ここに自信をもって提供するものである。
【手続補正４】
【補正対象書類名】図面
【補正対象項目名】全図
【補正方法】変更
【補正の内容】
【図１】
2014147655.tif 000018
【図２】
2014147655.tif 000019
【図３】
2014147655.tif 000020
【図４】
2014147655.tif 000021
【図５】
2014147655.tif 000022
【図６】
2014147655.tif 000023
【図７】
2014147655.tif 000024
【図８】
2014147655.tif 000025
【図９】
2014147655.tif 000026
【図１０】
2014147655.tif 000027
【図１１】
2014147655.tif 000028
【図１２】
2014147655.tif 000029
【図１３】
2014147655.tif 000030
【図１４】
2014147655.tif 000031
【図１５】
2014147655.tif 000032
【手続補正書】
【提出日】平成25年7月8日(2013.7.8)
【手続補正１】
【補正対象書類名】明細書
【補正対象項目名】全文
【補正方法】変更
【補正の内容】
【発明の詳細な説明】
【技術分野】
【０００１】本願は、怪我、病気、老人等で足腰が不自由な患者で便所に行くことができず、ベッドで寝たきりでも、患者が枕元のスイッチ「開をＯＮ」にすればベッドの尻部の蓋が自動的に開く同時にベッドの下部に設置されている腰掛トイレが横に開閉すると蓋と連動して、トイレ上昇しリミットスイッチの働きにより電源は停止する、次に上昇したトイレに人間本来の本能である落下式で用を足し、用が終わったら枕元トスイッチの「閉をＯＮ」にすれば横に開いた開閉装置が閉じると同時に上昇している腰掛トイレも連動して下降して収納されリミットスイッチの作動により電源は自動的に停止する尻部を開閉式で落下式で用便足すことが出来ることを特徴とした発明であり以下にわたって説明する。尻部の開閉装置は正逆両用減速モーターが伝道装置を経由して尻部の扉が横に水平に開閉できる開閉装置とし、障害の為に歩行ができなく寝たきりの患者が、自分の力で開閉スイッチを操作ことにより、正逆モーターが作動してベッドで寝ている、ベッド尻部の下部に位置している便器は枕元の「開閉スイッチの開をＯＮ」にすれば、正逆モーターは正回転して開閉装置が開くと蓋はベッドの横に伸びる構造になっている、そこでその横に伸びる蓋の裏側の先端付近にワイヤーなどを取り付け、開閉レール下側の両サイドの４箇所にワヤーが外れない構造の滑車を設置し、ワイヤー等が滑車を経由して（２２）の便器防護容器に取り付ければ、（１７）の開閉スッチの操作により（１）の正逆両用減速モーターを正回転させれば、（２）の駆動伝達装置の働きにより尻部開閉装置の蓋は自動的に開放する。併せて開放する蓋の裏側先端に取り付けてある（１５）ワイヤーは（１４）の滑車を経過して便器を保護している（２２）の便器保護用容器に接続されているので蓋が開けば横に伸びるので便器は自動的に垂直に上昇して敷布団の下に停止するので極めて都合が良い。次に寝たきりの患者が一人で用を足しトイレの蓋を閉じるには、枕元にある（１７）の開閉スイッチ「閉をＯＮ」にすれば（１）の正逆両用減速モーターの働きによりモーターが逆回転して（２）の駆動伝達装置に連動して開いていた蓋は自動的に締まる蓋の裏側の先端に取り付けてあるワイヤーは開閉レール裏側にセットされている滑車をそれぞれ経由して（２２）の便器保護容器と接続されているので自動的にベッドの下に収納される「敷布団自動ベッド尻部開閉トイレ伸縮装置」を本日発表するものである。
【背景技術】
【０００２】なし
【先行技術文献】
【０００３】なし
【発明の概要】
【発明が解決しょうとする課題】
【０００４】上記、寝たきリで歩行ができない患者でも落下方式で用便を足す構造原理で用をたすことのできるトイレは存在しておらず、尻部にパンパスをあてて対応しているのが現状である。このために患者の不快感は避けられず、また介護している人や患者の精神的苦労は想像を絶する苦しみがあり、患者一人で用を足すことのできる装置の開発が強く求められている。
【問題を解決するための手段】
【０００５】本発明は、高架式ベッド中央の尻部の接触部分が開閉する構造とし、その扉が横に水平に開閉できる構造とし、その真下には尻部接触部分が開閉する扉とは別個で独立した尻部が接触する構造のした穴のあいた腰掛け装置が固定されている。用をたすときは「開のスイッチをＯＮ」にすれば、ベッド上の尻部開閉装置の扉が開閉することにより開閉装置の外周下側付近にワイヤー等の端を固定し蓋が開けば（１５）ワイヤーが（１８）便器保護容器上部に設置してある開閉レール下側に設置してある滑車４箇所を経由して（２２）便器保護容器の外側に取り付けてあり（１７）の開閉スイッチ「開をＯＮ」にすれば（１）正逆両用減速ギヤモーターが正回転し（２）の駆動伝達装置が稼働して尻部の開閉装置の蓋はベッドの横に水平に開く、開閉する扉の真下にはベッドに開閉装置とは別個で独立した構造のした穴のあいた腰掛け便座が固定されているので、扉が開閉して連動する便器の上下する間合いの不安定な要素などは微塵もない。腰掛け便座の真下まで便器が上昇すると（３）のリミットスイッチが作動して蓋が開いた状態で電源は停止する。次に敷布団の下の腰掛便器で落下方式で用を足し終えたら（１７）の開閉スイッチの「閉をＯＮ」にすれば、（１）の正逆両用減速ギヤモーターが逆回転して開閉装置に連結されている蓋並びに蓋の裏側の先端付近に設置されているワイヤーが左右開閉レール下側に設置してある滑車４箇所を経由し（１８）の便器保護容器の左右に２箇所ずつ（計４箇所）に接続さ開閉装置の蓋は自動的に閉じて蓋と連動している腰掛便器もベッドの下に自動的に収納され開閉装置の蓋が閉じ終わると（４）のリミットスイッチが作動するので電源は自動的に停止することを特徴とした「敷布団自動ベッド尻部開閉伸縮装置」
を本日ここに提供するものである。
【発明の効果】
【０００６】前述のように、高架式ベッドの横幅の中心で人間が仰向けに寝て尻部が接触部分が横に水平に両サイドに開閉する扉構造とし、その水平に開閉する扉の真下には開閉装置と連動して上下構造のする便器とは、全く独立した構造の穴のあいた腰掛け便器の便座を固定しておけば開閉装置とトイレが上下するときの間合いがないので安定感は抜群である。次に用をたすときは枕元の「開のスイッチをＯＮ」にすれば正逆減速モーターが正回転して尻部開閉装置の蓋が開き、ワイヤーで連動している便器は蓋が開くと同時に自動的に上昇し始め、蓋が開き終わると開閉装置の真下に固定されている腰掛便座に真下まで便器は上昇したらリミットスイッチが作動して電源は停止するので上昇した便器に落下方式で用を足す。次に便器を下降させて蓋を閉じるには、枕元の開閉スイッチの「閉のスイッチをＯＮ」にすれば開閉装置と連動している便器は蓋が閉じ始めると、自動的に下降してベッドの下側に収納される、蓋が閉まり終わるとリミットスイッチが作動して正逆減速モーターの電源は停止する。扉は横に水平に開閉しても真下には腰掛け便器が独立してベッドに固定されているので、開閉装置と連動して上下する便器の間合いによる不安定などということは全く感じることはなく、極めて快適である。以上のような構造原理で出来ている便器の落下方式で用を足すことを最大の特徴とした「敷布団自動ベッド尻部開閉伸縮装置」を本日ここに提供することにより、歩行ができず寝たきりに患者でも、介護するに人に世話にならなくても寝たきりの患者一人で充分に用を足すことが出来る装置である。
【図面の簡単な説明】
【０００７】
【図１】図１、開閉装置の扉が閉じベッド下に便器収納されている構造側面図。
【図２】図２、開閉装置のベッドが開き固定腰掛け便座真下にトイレが上昇した状態の構造側面図。
【図３】図３は開閉装置の扉が閉じベッド下に便器が収納されている構造側面図。
【図４】図４開閉装置の扉が閉じベッド下に便器が収納されていることを示す構造平面図。
【図５】図５開閉装置の扉が開き固定腰掛け便座の下部に便器が上昇しセットされたことを示す構造平面図。
【図６】図６患者が用をたし便器がベッドしたに加工させて収納したことを示す構造平面図。
【図７】図７は開閉装置のベッドが閉じベッド下に便器が収納さている側面図。
【図８】図８、開閉装置のベッドが開き固定腰掛け便座にトイレが上昇した状態を示す側面図。
【図９】図９、開閉装置のベッドが閉じベッド下の便器を取り出し交換している側面図。
【図１０】図１０、開閉装置のベッドが閉じベッド下に水洗式便器が収納されている側面図
【図１１】図１１、開閉装置のベッドが開き固定腰掛け便座に水洗式トイレが上昇していることを示す側面図。
【図１２】図１２、開閉装置のベッドが閉じベッド下に便器が収納されていることを示す側面図。
【符号の説明】（２４）安全固定腰掛け便座
【手続補正３】
【補正対象書類名】特許請求の範囲
【補正対象項目名】全文
【補正方法】変更
【補正の内容】
【特許請求の範囲】
【請求項１】
敷布団と高架式ベットをセットとし、ベッドの横幅の中心線に人間が仰向けに寝て尻部が位置する個所に開閉装置の扉を設けその真下にはベッドに接続されている固定式の腰掛安全便座を設置する。扉は腰掛便座を使用するのに支障のない構造のした開閉装置をセットする。ベッドは寝起きの角度が調整できる構造が望ましい。尻部の開閉装置は真下に設けてある便座の下に便器が落下方式で用を足す構造であればどのような構造でも差し支えはないが、後処理や衛生面などを考慮すれば水洗式のウオッシュレットが望ましい。ベッドの下部に収納されている便器は便器防護容器にガードされているので便器防護容器と開閉装置の扉の裏側の外周辺りに各々ワイヤーの端を接続して開閉レールの裏側に沿った中間辺りに滑車を経由して腰掛便器をガードしている便器防護容器の外側に開閉装置の蓋の裏側より伸びているワイヤーを各々に接続しておく。次に，用を足すときは枕元にある尻部開閉装置のスイッチ「開をＯＮ」にすれば正逆両用減速ギヤモーターは正回転して、駆動伝達装置を経由し尻部開閉装置の蓋は横に水平に伸びるので、蓋の裏側とベッド下の便器防護容器はワイヤーで滑車を経由して、扉が水平に移動すればワイヤーも連動して移動するのでベッド下に収納されている便器は便器防護容器は蓋が横に移動すると滑車が回転し便器は垂直に上昇する。
開閉装置の真下に固定式の腰掛け便座が設置されているので、扉が開閉しても尻部は便座にしっかりと乗って安定しており、開閉すると同時に上昇する便器の間合いの不安定差などは微塵もない、次にベッドに固定されている固定式便座真下まで便器が上昇するとリミットスイッチの働きにより電源はそのままの状態で自動的に停止する。
次に腰掛便座の下部に位置している便器で用を足し終えたら、水洗式のウオッシュレットを用いた場合は尻部を温水で洗浄し温風乾燥機で乾かしたら、枕元の尻部開閉スイッチの「閉をＯＮ」にすれば正逆両用減速ギヤモーター逆回転し、駆動伝達装置を経由して開閉装置の蓋は閉じるので蓋の裏側に接続されているワイヤーの負荷は解除され無負荷となるので、開閉装置の蓋が閉まると同時に下降し始め蓋が閉まり終わると便器は完全にベッドの下に収納されると同時にリミットスイッチが作動して電源は自動的に停止する。腰掛便器を上下する構造は蓋と滑車並びに便器防護容器をワイヤーで連結したほうが製造コストは安価であり故障もないが、ベッドの脚全体をモーター等で上下させる構造でも良いが製造段階でのコスト高は避けられない。以上のような構造原理を最大の特徴とした「敷布団自動ベッド尻部開閉トイレ伸縮装置」の開発により、介護する人の手を煩わすことなく、寝たきりの患者一人で、昼夜を問わず衛生的に用を足して処理することのできる構造原理の機器を、本日ここに自信をもって提供するものである。
【手続補正４】
【補正対象書類名】図面
【補正対象項目名】全図
【補正方法】変更
【補正の内容】
【図１】
2014147655.tif 000033
【図２】
2014147655.tif 000034
【図３】
2014147655.tif 000035
【図４】
2014147655.tif 000036
【図５】
2014147655.tif 000037
【図６】
2014147655.tif 000038
【図７】
2014147655.tif 000039
【図８】
2014147655.tif 000040
【図９】
2014147655.tif 000041
【図１０】
2014147655.tif 000042
【図１１】
2014147655.tif 000043
【図１２】
2014147655.tif 000044
【手続補正書】
【提出日】平成25年9月27日(2013.9.27)
【手続補正１】
【補正対象書類名】明細書
【補正対象項目名】全文
【補正方法】変更
【補正の内容】
【発明の詳細な説明】
【技術分野】
【０００１】本願は、怪我や病気又は老人等が足腰が不自由でトイレに行くことができず、ベッドに寝たきりで襁褓で用を余儀なくされている患者が、襁褓を必要とせず、ベッドの真下に設置されているトイレを枕元の開閉スイッチを患者一人の意思で操作することにより、開閉扉が自動的に横に水平に開閉して真下に設置されているトイレに落下式で用便を足すことが出来ることを特徴とした発明であり以下にわたって説明する。本願は、敷布団、高価式ベッド、腰掛け便器、をセットとする。ベッドは電気式で角度調整ができる構造のベッドが望ましい。そのベッドを水平にし、横幅の中心線に人間が仰向け寝て尻部が位置する部分が、枕元にあるスイッチ操作により自動的に横に水平に開閉する扉を設ける。開口部の大きさは腰掛け便器よりやや大きめの開閉する構造とし、その開閉装置の真下には腰掛けトイレが設置されている。トイレは落下式で汚物を受け入れる構造の容器であれば良い。ベッドの真下に設置されているトイレは水洗トイレであれば、汚物の処理、尻部の洗浄、尻部の乾燥、衛生面、等々いずれの点についても全てがベターである。移動式のオマルを用いても差し支えはないが、汚物収納バケツをスペアのバケツに交換するには、開閉扉を開き腰掛け便座を上方に引き上げてから汚物収納バケツとスペアのバケツの交換をしなければならないので患者が他のベッドに移動してもらうか、あるいは患者がベッド開口部が開口しない部分に体を小さく丸くならなければならず、患者に負担を生じさせなければならない。そこで患者を無負担にするには、開閉扉の真下に腰掛け便座を、開閉扉とは別個に独立して固定させて設置する。その腰掛け便座の下の床上にはオマル乗せた保護容器を設置する。保護容器の４方の側面のうち１方向の側面は収納バケツの交換を容易にする見地から開放したままとし、３方の側面のみを囲う、次に開閉扉の左右の両端それぞれにワイヤーを個々に設置する。ベッドの下には保護容器が設置されているので、保護容器の左右にそれぞれに開閉扉に接続してあるワイヤーを個々に均衡をとって接続する。その保護容器の上に汚物収納バケツを乗せる。次に枕元にある開閉扉スイッチの「開をＯＮ」にすれば正逆両用減速ギアモーターが正回転し伝導装置を経由して開閉扉が開くと保護容器とワイヤーと連動しているので、保護容器と汚物収納バケツは垂直に上昇し、固定されている腰掛け便座の真下まで到達するとリミットスイッチが作動して開閉扉は開いた状態で電源は自動的に停止する。次に患者は固定されている腰掛け便座に尻部を当てて腰をかけて用便をトイレに落下させる。次に枕元の開閉スイッチ「閉をＯＮ」にすれば正逆両用減速ギヤモーターは逆回転して開閉扉は閉じ始めるので開閉扉と保護容器はワイヤーで連結しているから保護容器と汚物収納バケツは下降して、扉が閉じ終わるとベッド下の床上でリミットスイッチが作動し電源は自動的に停止する。以上のような構造になっているので高架式ベッドと床上には充分に余裕の空間が生じているから、患者には負担をかけること等は微塵もなく汚物収納バケツのスペアの交換ができる。以上のような高架式ベッドの尻部が自動的に横に水平に開閉し、その下部に腰掛けトイレが設置されている構造原理の発明であり、寝たきりの患者が用便を察知すると患者一人の意思で枕元にある開閉扉スイッチを操作して、用便の処理が介護人の手を煩わすことなく患者一人の意思で完璧に処理することができる襁褓のいらない落下方式の構造原理を特徴とした高架式ベッド尻部腰掛け自動開閉扉伸縮装置を「トイレの神様」と命名して本日発表するものである。
【背景技術】
【０００２】
【先行技術文献】
【０００３】
【発明の概要】
【発明が解決しようとする課題】
【０００４】寝たきりで歩行ができない患者は尻部に襁褓を当てて対応しているのが現実である。しかし患者の用便の回数は頻繁でありその度に襁褓を替えてやる介護人の苦労、並びに介護されている患者の精神的な負担は想像を絶するものがある。このようにお互いに苦労していることを解消するために、寝たきりの患者が不快な襁褓を着用することなく、介護人の世話にならなくても患者一人の意思で用便をたすことのできる機器の開発が強く求められている。
【問題を解決するための手段】
【０００５】上記の困難な課題を解消する為、敷布団、高価式ベッド、腰掛け便器の３点をセットとし、ベッド横幅の中心線に人間が仰向けに寝て尻部が位置する部分が介護人の手を煩わすことなく、患者一人の意思で、開閉扉操作スイッチを操作し、尻部開閉扉が横に水平に開閉する構造とする。高架式のベッドは電気式で角度調整できるベッドが望ましい。次に尻部開閉扉の真下に水洗トイレを用いる場合は蓋のいらない（蓋は不要）水洗トイレを開閉扉の間下に設置する。水洗トイレであれば汚物の処理並びに尻部の洗浄，乾燥（温風乾燥）など全てが衛生的に処理できる。また水洗トイレの給排水の配管は伸縮自在のギャバラ管を用いれば給排水の本管への接続が容易であり、他の部屋への移動も極めて簡単である。次に移動式のオマルを用いる場合は開閉扉の真下にオマルを設置しても良いが、開閉扉の真下であるとオマルのスペアの交換に患者に負担が生じるのは避けられない。なぜならば移動式のオマルは尻部開閉腰掛け便座の蓋を上にあげて汚物収納バケツをスペアと交換しなければならないので開閉扉開いた状態でのスペアと交換するので、患者が邪魔であり別なベッドへ移動してもらうか、あるいは扉が開閉しない場所に小さく丸まってもらうという負担は避けられない。そこで患者の負担を解消するには、尻部開閉扉の真下に開閉扉とは別個で独立した腰掛け便座だけを固定して設置する。次に腰掛け便座の下の床上に保護容器を置きその上に汚物収納バケツを乘せる、次に水平に開閉する左右の扉両端の中間あたりにワイヤーをそれぞれ取り付ける、その個々のワイヤーをベッド下の床上置かれている保護容器の両サイドに連結させ、その保護容器の上に汚物収納バケツを乗せる。次に枕元にある尻部開閉扉スイッチ「開をＯＮ」にすれば尻部開閉扉が左右に水平に開くのでワイヤーも連動して横に移動する、従ってオマルを乗せた保護容器は連動して垂直に上昇し、オマルが腰掛け便座の真下に来ると尻部開閉扉のリミットスイッチが作動して汚物収納容器は便座の真下で上昇したまま自動的に停止する。次に腰掛け便座に腰をかけて用便を落下させて処理する。次に開閉扉スイッチを「閉をＯＮ」にすれば、開閉扉は閉じ始めオマルを乗せた保護容器はワイヤ−と連動しているので下降して扉が閉じ終わるとリミットスイッチが作動してオマルはベッド下の床の位置で自動的に停止する。従って保護容器に乗せてあるオマルはベッド下の床上にあり、高価式ベッドと汚物収納バケツの距離は高架式ベッドであるから充分の空間距離が有りスペアの交換は極めて容易であり、患者の負担は微塵にも生じない。以上のような構造原理の、高価式ベッド尻部自動開閉伸縮装置は寝たきりの患者が用便の模様を察知したならば、自分の意思で用便の処置を完璧に処理することができるものである。以上のように落下式で用便を処理する構造原理の高架式ベッド尻部腰掛け自動開閉扉伸縮装置を「トイレの神様」と命名し本日ここに提供する。
【０００６】前述に記載した構造原理になっているので、寝たきりの患者でも襁褓で用を足すなどいう不愉快で不衛生なことは全く必要ない。また今までの患者や介護人の辛く重労働な苦労も解消でき、患者一人で用便を察知したら自分の意志で開閉扉スッチを操作することにより尻部開閉扉が自動的に水平に開きベッド下に設置されているトイレに落下式で用便を処理し終えたら、枕元にある扉スイッチの操作で尻部開閉扉は自動的に閉じ、ベッドを角度調整して水平にすれば、就寝ベッドに早変りすることを特徴とした落下式の構造原理である、高架式ベッド尻部腰掛け自動開閉扉伸縮装置の提供が本願である。
【図面の簡単な説明】
【０００７】
【図１】開閉扉の正逆両用減速ギヤーモーターの開閉扉操作スイッチで逆回転し伝導装置を経由して開閉装置が閉じている状態を示した平面図。
【図２】開閉扉の正逆両用減速ギヤーモーターの開閉扉操作スイッチで正回転し伝導装置を経由し開閉扉が開いた状態を示した平面図。
【図３】水洗トイレを開閉扉とセットし開閉扉が閉じている状態を示した正面図。
【図４】水洗トイレを開閉扉とセットし開閉扉が開いた状態を示した正面図。
【図５】移動トイレを開閉扉とセットし開閉扉と連結されている保護容器に汚物収納バケツを乘せてベッド下の床上に下降し開閉扉が閉じている状態をした正面図。
【図６】開閉扉が連動している保護容器とオマルが固定腰掛け便座の真下まで上昇し、患者が腰掛け便座に腰をかけて用便を処理できる状態を示した正面図。
【符号の説明】
【０００８】（１）正逆両用原則ギヤーモーター、（２）駆動伝達装置、（３）リミットスイッチ、（４）リミットスイッチ、（５）高架式ベッド、（６）敷布団、（７）キャスター、（８）連結ワイヤー、（９）保護容器、（１０）固定腰掛け便座、（１１）汚物収納バケツ、（１２）水洗トイレ、（１３）伸縮自在ギャバラ、（１４）給排水本管接続パッキン用具、（１５）排水本管、（１６）給水本管、
【手続補正４】
【補正対象書類名】図面
【補正対象項目名】全図
【補正方法】変更
【補正の内容】
【図１】
2014147655.tif 000045
【図２】
2014147655.tif 000046
【図３】
2014147655.tif 000047
【図４】
2014147655.tif 000048
【図５】
2014147655.tif 000049
【図６】
2014147655.tif 000050
【手続補正３】
【補正対象書類名】特許請求の範囲
【補正対象項目名】全文
【補正方法】変更
【補正の内容】
【特許請求の範囲】
【請求項１】
本発明は、敷布団、高架式ベッド、腰掛け便器をセットとし、ベッドの横幅の中心線に人間が仰向けに寝て尻部の位置する部分を腰掛け便器よりやや大きめに開閉する開閉扉を設ける。ベッドは電気で角度調整ができる構造が望ましい。開閉扉を操作するには枕元にある開閉扉の操作スイッチ「開をＯＮ」にすれば正逆両用減速ギヤモーターが正回転して伝導装置を経由し開閉扉は横に水平に開口し、開き終わったらリミットスイッチが作動し開いたままの状態で電源は自動的に停止する。開閉扉の真下には腰掛け便器が設置されているので腰掛け便器に腰をかけて用便を落下させて処理する構造とする。次に枕元にある開閉扉操作スイッチ「閉をＯＮ」にすれば正逆両用減速ギヤーモーターが逆回転して伝導装置を経由し扉を閉じ始め、閉じ終わるとリミッスイッチが作動して電源は自動的に停止する。開閉扉の真下に設置されている腰掛け便器は、水洗トイレ又は移動トイレのどちらでも良いが、いずれも上方に開く上蓋は扉の開閉に支障をきたすので不要であり腰掛け便器のみとする。水洗トイレの場合は、腰掛け便器に腰をかけて用便を落下させてから水で流せば汚物は自動的に清掃し、尻部は温水で洗浄、尻部は温風乾燥でケアしてくれるので衛生的であり完璧である。移動トイレの場合は、汚物収納バケツをスペアのバケツと交換しなければならないので、開閉扉を開き、便座の蓋を上方に開放しなければ交換することができない。その為に寝たきりの患者に移動してもらうか、あるいはベッドの片隅に小さく丸くなってもらうという負担は避けられない、それでも襁褓を介護人に取り替えてもらう思いからすれば、遥に軽負担ではある。しかし患者の負担を解消する見地から、開閉扉の真下に開閉扉とは別個で独立した腰掛け便座をしっかりと設置する。次に開閉扉の両端にそれぞれ別個にワイヤーを取り付ける。次に固定されている腰掛け便座の下方の床上に汚物収納容器を乗せる保護容器を置き、開閉扉の個々に取り付けられているワイヤーを均衡のとれた同じ長さにして保護容器の両端にそれぞれ連結する、その上に汚物収納バケツを乘せる。保護容器の側面は４方のうち３方を囲い汚物収納バケツを交換を容易にする見地から１方は開放しておいたほうが良い。次に枕元にある開閉扉操作スイッチの「開をＯＮ」にすれば、正逆両用減速モーターは正回転して伝導装置を経由して開閉扉はとワイヤーとともに横に水平に移動する。ワイヤーで連結されている保護容器は、開閉扉が開けば連動している保護容器と汚物処理バケツは垂直に上昇して扉が開き始め腰掛け便座の真下まで来るとリミットスイッチが作動して腰掛け便座真下の位置まで上昇し電源は停止する。次に腰掛け便座に腰をかけて用便を落下させて処理する。次に枕元にある開閉扉スイッチを「閉をＯＮ」にすれば正逆両用減速ギヤーモーターは逆回転して伝導装置を経由して開閉扉は扉のワイヤーと保護容器は連結しているので無負荷となりベッド下の床上に垂直に下降する。開閉扉が閉じ終わるとリミットスイッチが作動して電源は自動的に停止する。従って高架式ベッドを用いているので、ベッド下の床と高架式ベッドの空間距離は充分に離れているので、汚物収納バケツの交換は高架式ベッドの下から容易に交換することができるから、患者の移動や患者に負担を生じることなどは微塵もない。以上のように、寝たきりの患者でも用便を模様して察知したならば、枕元にある開閉扉スイッチを操作すれば自動的に開閉扉が横に水平に開閉し、開閉扉の真下にあるトイレに落下方式で糞尿を落下させるので、介護人の手を煩わすことはなく寝たきりの患者一人で完璧に用便を処理することができることを最大の特徴とした高架式ベッド尻部腰掛け自動開閉扉伸縮装置を「トイレの神様」と命名して本日ここに提出する。
【手続補正書】
【提出日】平成25年12月30日(2013.12.30)
【手続補正１】
【補正対象書類名】明細書
【補正対象項目名】全文
【補正方法】変更
【補正の内容】
【発明の詳細な説明】
【技術分野】
【０００１】本願は、怪我や病気又は老人等が足腰が不自由でトイレに行くことができず、ベッドに寝たきりで襁褓で用を余儀なくされている患者が、襁褓を必要とせず、ベッドの真下に設置されているトイレを枕元の開閉スイッチを患者一人の意思で操作することにより、開閉扉が自動的に横に水平に開閉して真下に設置されているトイレに落下式で用便を足すことが出来ることを特徴とした発明であり以下にわたって説明する。本願は、敷布団、高価式ベッド、腰掛け便器、をセットとする。ベッドは電気式で角度調整ができる構造のベッドが望ましい。そのベッドを水平にし、横幅の中心線に人間が仰向け寝て尻部が位置する部分が、枕元にあるスイッチ操作により自動的に横に水平に開閉する扉を設ける。開口部の大きさは腰掛け便器よりやや大きめの開閉する構造とし、その開閉装置の真下には腰掛けトイレが設置されている。トイレは落下式で汚物を受け入れる構造の容器であれば良い。ベッドの真下に設置されているトイレは水洗トイレであれば、汚物の処理、尻部の洗浄、尻部の乾燥、衛生面、等々いずれの点についても全てがベターである。移動式のオマルを用いても差し支えはないが、汚物収納バケツをスペアのバケツに交換するには、開閉扉を開き腰掛け便座を上方に引き上げてから汚物収納バケツとスペアのバケツの交換をしなければならないので患者が他のベッドに移動してもらうか、あるいは患者がベッド開口部が開口しない部分に体を小さく丸くならなければならず、患者に負担を生じさせなければならない。そこで患者を無負担にするには、開閉扉の真下に腰掛け便座を、開閉扉とは別個に独立して固定させて設置する。その腰掛け便座の下の床上には汚物収納バケツを乗せた保護容器を設置する。保護容器の４方の側面のうち１方向の側面は収納バケツの交換を容易にする見地から開放したままとし、３方の側面のみを囲う、次に開閉扉の左右の両端それぞれにワイヤーを個々に設置する。ベッドの下には保護容器が設置されているので、保護容器の左右にそれぞれに開閉扉に接続してあるワイヤーを個々に均衡をとって接続する。その保護容器の上に汚物収納バケツを乗せる。次に枕元にある開閉扉スイッチの「開をＯＮ」にすれば正逆両用減速ギアモーターが正回転し伝導装置を経由して開閉扉が開くと保護容器とワイヤーと連動しているので、保護容器と汚物収納バケツは垂直に上昇し、固定されている腰掛け便座の真下まで到達するとリミットスイッチが作動して開閉扉は開いた状態で電源は自動的に停止する。次に患者は固定されている腰掛け便座に尻部を当てて腰をかけて用便をトイレに落下させる。次に枕元の開閉スイッチ「閉をＯＮ」にすれば正逆両用減速ギヤモーターは逆回転して開閉扉は閉じ始めるので開閉扉と保護容器はワイヤーで連結しているから保護容器と汚物収納バケツは下降して、扉が閉じ終わるとベッド下の床上でリミットスイッチが作動し電源は自動的に停止する。以上のような構造になっているので高架式ベッドと床上には充分に余裕の空間が生じているから、患者には負担をかけること等は微塵もなく汚物収納バケツのスペアの交換ができる。以上のような高架式ベッドの尻部が自動的に横に水平に開閉し、その下部に腰掛けトイレが設置されている構造原理の発明であり、寝たきりの患者が用便を察知すると患者一人の意思で枕元にある開閉扉スイッチを操作して、用便の処理が介護人の手を煩わすことなく患者一人の意思で完璧に処理することができる襁褓のいらない落下方式の構造原理を特徴とした高架式ベッド尻部腰掛け自動開閉扉伸縮装置を「トイレの神様」と命名して本日発表するものである。
【背景技術】
【０００２】
【先行技術文献】
【０００３】
【発明の概要】
【発明が解決しようとする課題】
【０００４】寝たきりで歩行ができない患者は尻部に襁褓を当てて対応しているのが現実である。しかし患者の用便の回数は頻繁であり、その度に襁褓を替えてやる介護人の苦労、並びに介護されている患者の精神的な負担は想像を絶するものがある。このようにお互いに苦労していることを解消するために、寝たきりの患者が不快な襁褓を着用することなく、介護人の世話にならなくても患者一人の意思で用便を処理することのできる機器の開発が強く求められている。
【問題を解決するための手段】
【０００５】上記の困難な課題を解消する為、敷布団、高価式ベッド、腰掛け便器の３点をセットとし、ベッド横幅の中心線に人間が仰向けに寝て尻部が位置する部分が介護人の手を煩わすことなく、患者一人の意思で、開閉扉操作スイッチを操作し、尻部開閉扉が横に水平に開閉する構造とする。高架式のベッドは電気式で角度調整できるベッドが望ましい。次に尻部開閉扉の真下に水洗トイレを用いる場合は蓋はいらない（蓋は不要）水洗トイレを開閉扉の間下に設置する。水洗トイレであれば汚物の処理並びに尻部の洗浄，乾燥（温風乾燥）など全てが衛生的に処理できる。また水洗トイレの給排水の配管は伸縮自在のギャバラ管を用いれば給排水の本管への接続が容易であり、他の部屋への移動も極めて簡単である。又部屋の構造によっては排水の接続が困難の場所は、水洗トイレの下部に排水収納庫を設け、その内部にフロート式で汚水処理機能の水中ポンプを設置し、ギャバラ管等で下水処理管まで持っていけば排水は自動的に処理できるので何の心配もない。次に移動式のオマルを用いる場合は開閉扉の真下にオマルを設置しても良いが、開閉扉の真下であるとオマルのスペアの交換に患者に負担が生じるのは避けられない。なぜならば移動式のオマルは尻部開閉腰掛け便座の蓋を上にあげて汚物収納バケツをスペアと交換しなければならないので開閉扉開いた状態でのスペアと交換するので、患者が邪魔であり別なベッドへ移動してもらうか、あるいは扉が開閉しない場所に小さく丸まってもらうという負担は避けられない。そこで患者の負担を解消するには、尻部開閉扉の真下に開閉扉とは別個で独立した腰掛け便座だけを固定して設置する。次に腰掛け便座の下の床上に保護容器を置きその上に汚物収納バケツを乘せる、次に水平に開閉する左右の扉両端の中間あたりにワイヤーをそれぞれ取り付ける、その個々のワイヤーをベッド下の床上置かれている保護容器の両サイドに連結させ、その保護容器の上に汚物収納バケツを乗せる。次に枕元にある尻部開閉扉スイッチ「開をＯＮ」にすれば尻部開閉扉が左右に水平に開くのでワイヤーも連動して横に移動する、従ってオマルを乗せた保護容器は連動して垂直に上昇し、オマルが腰掛け便座の真下に来ると尻部開閉扉のリミットスイッチが作動して汚物収納容器は便座の真下で上昇したまま自動的に停止する。次に腰掛け便座に腰をかけて用便を落下させて処理する。次に開閉扉スイッチを「閉をＯＮ」にすれば、開閉扉は閉じ始めオマルを乗せた保護容器はワイヤ−と連動しているので下降して扉が閉じ終わるとリミットスイッチが作動してオマルはベッド下の床の位置で自動的に停止する。従って保護容器に乗せてあるオマルはベッド下の床上にあり、高価式ベッドと汚物収納バケツの距離は高架式ベッドであるから充分の空間距離が有りスペアの交換は極めて容易であり、患者の負担は微塵にも生じない。以上のような構造原理の、高価式ベッド尻部自動開閉伸縮装置は寝たきりの患者が用便の模様を察知したならば、自分の意思で用便の処置を完璧に処理することができるものである。以上のように落下式で用便を処理する構造原理の高架式ベッド尻部腰掛け自動開閉扉伸縮装置を「トイレの神様」と命名し本日ここに提供する。
【０００６】前述に記載した構造原理になっているので、寝たきりの患者でも襁褓で用を足すなどいう不愉快で不衛生なことは全く必要ない。また今までの患者や介護人の辛く重労働な苦労も解消でき、患者一人で用便を察知したら自分の意志で開閉扉スッチを操作することにより尻部開閉扉が自動的に水平に開きベッド下に設置されているトイレに落下式で用便を処理し終えたら、枕元にある扉スイッチの操作で尻部開閉扉は自動的に閉じ、ベッドを角度調整して水平にすれば、就寝ベッドに早変りすることを特徴とした落下式の構造原理である、高架式ベッド尻部腰掛け自動開閉扉伸縮装置の提供が本願である。
【図面の簡単な説明】
【０００７】
【図１】開閉扉の正逆両用減速ギヤーモーターの開閉扉操作スイッチで逆回転し伝導装置を経由して開閉装置が閉じている状態を示した平面図。
【図２】開閉扉の正逆両用減速ギヤーモーターの開閉扉操作スイッチで正回転し伝導装置を経由し開閉扉が開いた状態を示した平面図。
【図３】水洗トイレを開閉扉とセットし開閉扉が閉じている状態を示した平面図。
【図４】水洗トイレを開閉扉とセットし開閉扉が開いた状態を示した正面図。
【図５】移動トイレを開閉扉とセットし開閉扉と連結されている保護容器に汚物収納バケツを乘せてベッド下の床上に下降し開閉扉が閉じている状態をした正面図。
【図６】開閉扉が連動している保護容器とオマルが固定腰掛け便座の真下まで上昇し、患者が腰掛け便座に腰をかけて用便を処理できる状態を示した正面図。
【符号の説明】
【０００８】（１）正逆両用原則ギヤーモーター、（２）駆動伝達装置、（３）リミットスイッチ、（４）リミットスイッチ、（５）高架式ベッド、（６）敷布団、（７）キャスター、（８）連結ワイヤー、（９）保護容器、（１０）固定腰掛け便座、（１１）汚物収納バケツ、（１２）水洗トイレ、（１３）伸縮自在ギャバラ、（１４）給排水本管接続パッキン用具、（１５）排水本管、（１６）給水本管、（１７）フロート付き汚物処理機能付き水中ポンプ装置（１８）汚水収納装置
【手続補正３】
【補正対象書類名】特許請求の範囲
【補正対象項目名】全文
【補正方法】変更
【補正の内容】
【特許請求の範囲】
【請求項１】
本発明は、敷布団、高架式ベッド、腰掛け便器をセットとし、ベッドの横幅の中心線に人間が仰向けに寝て尻部の位置する部分を腰掛け便器よりやや大きめに開閉する開閉扉を設ける。ベッドは電気で角度調整ができる構造が望ましい。開閉扉を操作するには枕元にある開閉扉の操作スイッチ「開をＯＮ」にすれば正逆両用減速ギヤモーターが正回転して伝導装置を経由し開閉扉は横に水平に開口し、開き終わったらリミットスイッチが作動し開いたままの状態で電源は自動的に停止する。開閉扉の真下には腰掛け便器が設置されているので腰掛け便器に腰をかけて用便を落下させて処理する構造とする。次に枕元にある開閉扉操作スイッチ「閉をＯＮ」にすれば正逆両用減速ギヤーモーターが逆回転して伝導装置を経由し扉を閉じ始め、閉じ終わるとリミッスイッチが作動して電源は自動的に停止する。開閉扉の真下に設置されている腰掛け便器は、水洗トイレ又は移動トイレのどちらでも良いが、いずれも上方に開く上蓋は扉の開閉に支障をきたすので不要であり腰掛け便器のみとする。水洗トイレの場合は、腰掛け便器に腰をかけて用便を落下させてから水で流せば汚物は自動的に清掃し、尻部は温水で洗浄、尻部は温風乾燥でケアしてくれるので衛生的であり完璧である。排水管は直接下水管に接続すれば良いのであるが、場所によっては難しい個所は水洗トイレの下部に汚水収納庫を設け、その内部にフロート付きの汚水処理付き水中ポンプ装置をセットし、伸縮自在のギャバラ管などで下水管まで持って行けば、フロートスイッチが作動し、多少の高低差は関係なくスムーズに汚水は自動的に排水される。移動トイレの場合は、汚物収納バケツをスペアのバケツと交換しなければならないので、開閉扉を開き、便座の蓋を上方に開放しなければ交換することができない。その為に寝たきりの患者に移動してもらうか、あるいはベッドの片隅に小さく丸くなってもらうという負担は避けられない、それでも襁褓を介護人に取り替えてもらう思いからすれば、遥に軽負担ではある。しかし患者の負担を解消する見地から、開閉扉の真下に開閉扉とは別個で独立した腰掛け便座をしっかりと設置する。次に開閉扉の両端にそれぞれ別個にワイヤーを取り付ける。次に固定されている腰掛け便座の下方の床上に汚物収納容器を乗せる保護容器を置き、開閉扉の個々に取り付けられているワイヤーを均衡のとれた同じ長さにして保護容器の両端にそれぞれ連結する、その上に汚物収納バケツを乘せる。保護容器の側面は４方のうち３方を囲い汚物収納バケツを交換を容易にする見地から１方は開放しておいたほうが良い。次に枕元にある開閉扉操作スイッチの「開をＯＮ」にすれば、正逆両用減速モーターは正回転して伝導装置を経由して開閉扉はとワイヤーとともに横に水平に移動する。ワイヤーで連結されている保護容器は、開閉扉が開けば連動している保護容器と汚物処理バケツは垂直に上昇して扉が開き始め腰掛け便座の真下まで来るとリミットスイッチが作動して腰掛け便座真下の位置まで上昇し電源は停止する。次に腰掛け便座に腰をかけて用便を落下させて処理する。次に枕元にある開閉扉スイッチを「閉をＯＮ」にすれば正逆両用減速ギヤーモーターは逆回転して伝導装置を経由して開閉扉は扉のワイヤーと保護容器は連結しているので無負荷となりベッド下の床上に垂直に下降する。開閉扉が閉じ終わるとリミットスイッチが作動して電源は自動的に停止する。従って高架式ベッドを用いているのでベッド下の高架式ベッドの空間距離は充  分に離れているので、汚物収納バケツの交換は高架式ベッドの下から容易に交換することができるから、患者の移動や患者に負担を生じること等は微塵もない。以上のように寝たきりの患者でも用便を模様して察知したならば枕元にある
開閉扉スイッチを操作すれば自動的に開閉扉が横に水平に開閉し、開閉扉の真下にあるトイレに落下方式で糞尿を落下させるので、介護人の手を煩わすことはなく寝たきりの患者一人で完璧に用便を処理することができることを最大の特徴とした高架式ベッド尻部腰掛け自動開閉扉伸縮装置を「トイレの神様」と命名して本日ここに提出する。
【手続補正４】
【補正対象書類名】図面
【補正対象項目名】図３
【補正方法】変更
【補正の内容】
【図３】
2014147655.tif 000051
【手続補正５】
【補正対象書類名】図面
【補正対象項目名】図４
【補正方法】変更
【補正の内容】
【図４】
2014147655.tif 000052
【手続補正書】
【提出日】平成26年1月25日(2014.1.25)
【手続補正１】
【補正対象書類名】図面
【補正対象項目名】図１
【補正方法】変更
【補正の内容】
【図１】
2014147655.tif 000053
【手続補正２】
【補正対象書類名】図面
【補正対象項目名】図２
【補正方法】変更
【補正の内容】
【図２】
2014147655.tif 000054